(57)【特許請求の範囲】
【請求項１】
両端部が開口したハウジングと、上記ハウジングの一方の開口から嵌装された操作ユニットと、上記ハウジングの他方の開口から嵌装され、上記操作ユニットの押し込み動作に応じてスイッチの開閉を行うスイッチユニットとを備えた押ボタンスイッチにおいて、
上記スイッチユニットは、スイッチ本体と、上記スイッチ本体を挟持し且つこれを支持すると共に、少なくとも一方にカム溝が形成された側板と、上記スイッチ本体の上側に位置し、一端が上記側板に回動可能に支持され、回動動作に応じてスイッチ本体の開閉を行う作動子と、上記作動子の上側に位置し、一端が上記側板に回動可能に支持され、上記操作ユニットの押し込み動作に応じて回動動作を行う操作子と、上記作動子と上記操作子との間に介装され、上記操作ユニットの押し込み動作に応じて上記作動子にラッチ動作を行わせる弾性体と、上記カム溝と上記操作子とに係合し、上記押ボタンスイッチをオルタネート動作させるためのピンとを有し、
上記ピンは、支軸が上記操作子に回動自在に支持され、上記支軸の一側がＬ形に折曲され更に先端が上記支軸側に折曲されて前記カム溝に係合し、
上記操作子には上記ピンの支軸を挿入・支持するための溝と上記ピンの抜けを防止するストッパとが設けられ、
上記溝は、挿入側が幅広く先端側が幅狭とされ、挿入側の一側と先端側とにより上記ピンの支軸を挿入するピン挿入溝を形成し、上記挿入側の他側と先端側とにより上記ピンの支軸を回動自在に支持するピン支持溝を形成し、上記挿入側に上記ピン挿入溝に挿入された上記ピンの支軸を上記ピン支持溝に係合させる節度機構が設けられ、
上記ストッパは、上記溝の挿入側に上記ピン支持溝の端部と離隔対向して設けられ、上記ピンの支軸が上記ピン支持溝に係合したときに上記支軸のＬ形に折曲された折曲部を係止して抜けを防止する
ことを特徴とする押ボタンスイッチ。
【発明の詳細な説明】
【０００１】
【発明の属する技術分野】
本発明は、制御パネル等に取り付けて使用される押ボタンスイッチに関するものである。
【０００２】
【関連する背景技術】
従来の押ボタンスイッチとして、実開昭６３−２５４４３号公報に記載のものが知られている。このスイッチは、図１８に示すように四角筒型の筐体１の上方内部に操作ユニット２が収容され、筐体１の下方内部にスイッチユニット３が収容されている。
【０００３】
操作ユニット２は、プリント基板２ａ上に発光ダイオード２ｂ等の発光素子を取付けるとともに、基板２ａの側方に発光素子と電気的に接続したランプ端子２ｃ、２ｄを備えた発光素子ユニット２’と、発光素子を収容すると共に発光素子からの光を拡散する拡散板２ｅを有し、上部に押ボタン２ｆが嵌合され、下部からスイッチユニット操作用の一対の脚２ｇ、２ｈが下方に延在したプランジャユニット２”等から構成される。
【０００４】
スイッチユニット３は、支持ベース３ａの両側部に配設された一対の端子ブロック３ｂ、３ｃと、端子ブロック３ｂ、３ｃの一端縁の切欠き係合部に回動自在に支持された弾性板状体の可動接触子３ｄと、支持ベース３ａの他端側の切欠き係合部に回動自在に支持された操作レバー３ｆと、可動接触子３ｄと操作レバー３ｆとの間に設けられ、両者を互いに離間する方向に付勢すると共に操作ユニット２の押動に応じてスイッチユニット３にラッチ動作を行わせるコイルスプリング３ｇ等から構成されている。
【０００５】
尚、上端部が二股に分岐し、スイッチユニット３のランプ端子２ｃ、２ｄと係合する電源端子３ｈ、３ｘがスイッチユニット３の支持ベース３ａから上方に延在している。
更に、操作レバー３ｆの一部には、ハート状のカム溝（図示せず）が形成されており、当該溝と支持ベース３ａとがピン３ｊで連結され、操作ユニット２の押圧動作に応じてスイッチユニット３がオルタネート動作を行うようになっている。
【０００６】
尚、このようなハート型カム溝とこれに沿って従動するピン３ｊとの組み合わせでオルタネート動作を行うスイッチユニット機構は、例えば、特開平１−２９２７１４号公報に詳細に記載されており、公知の内容である。
スイッチユニット３はハウジング１の下開口部から嵌装されてハウジング内部の下方に収容され、操作ユニット２は、ランプ端子２ｃ、２ｄがスイッチユニット３の電源端子３ｈ、３ｘと係合し、且つプランジャの脚２ｇ、２ｈがスイッチユニット３の操作レバー３ｆと係合するようにハウジング１の上開口部から嵌入されて、ハウジング内部の上方に収容される。
【０００７】
【発明が解決しようとする課題】
押ボタンスイッチは、上述の通り極めて小型の多種類の部品から構成されているので、組み付けが面倒であり、組み付けの完全な自動化が図りにくく人手に頼ることが多い。
特に、スイッチユニットの組み付けは、可動接触子と操作レバーとの間にコイルスプリングを介装させた状態で、可動接触子を端子ブロックに回動自在に支持させ、且つ操作レバーを支持ベースに回動自在に支持させなければならず、容易に組み付けを行うことができない。
【０００８】
更に、オルタネート動作を行わせるためのピンは極めて小さいので、操作レバーと側板のカム溝とをピンで連結する作業がし難く、且つピンを一旦組み付けてもスイッチユニットのハウジングへの収容作業中に再び外れたり、押ボタンスイッチの使用中に脱落してしまうことがある。
このような操作レバーに一旦組み付けたピンが抜けるのを防止するための技術が実開平１−９５０３１号公報に記載されている。当該公報に記載された内容は、Ｌ字型ピンの両端部に互いに直交する方向に折曲部を設け、一方の折曲部を操作レバーの挿入孔に挿入し、ピンを９０度回転させ、Ｌ字型レバーの支軸を挿入孔に完全に挿入し、Ｌ字型レバーの他軸を９０度回転させて他軸先端の折曲部を支持ベースのハート型カム溝に係合させるものである。
【０００９】
このような構造では、一旦、ピンをレバーに係合させれば、ピンがレバーから３９抜け落ちることはないが、ピンをレバーに組み付けるのが極めて面倒である。
又、制御パネル等に取付けたオルタネート型の押ボタンスイッチを、その後モーメンタリ型に動作変更したい場合がある。かかる場合には、押ボタンスイッチを制御パネルから取り外し、スイッチユニットをハウジングから外してピンを抜き取る作業が必要である。従って、実開平１−９５０３１号公報に記載のピンでは、一旦、押ボタンスイッチを組み付けると、その後に動作状態を変更させることが実質的に不可能である。
【００１０】
本発明の目的は、比較的小さな部品からなる押ボタンスイッチの各部品を容易、迅速且つ安全に組付けることができる押ボタンスイッチを提供することにある。
【００１３】
【課題を解決するための手段】
本発明に係る押ボタンスイッチは、スイッチ本体と、スイッチ本体を挟持し且つこれを支持すると共に、少なくとも一方にカム溝が形成された側板と、スイッチ本体の上側に位置し、一端が上記側板に回動可能に支持され、回動動作に応じてスイッチ本体の開閉を行う作動子と、作動子の上側に位置し、一端が上記側板に回動可能に支持され、上記操作ユニットの押し込み動作に応じて回動動作を行う操作子と、作動子と操作子との間に介装され、操作ユニットの押し込み動作に応じて作動子にラッチ動作を行わせる弾性体と、カム溝と操作子とに係合し、押ボタンスイッチをオルタネート動作させるためのピンとを有し、上記ピンは、支軸が上記操作子に回動自在に支持され、支軸の一側がＬ形に折曲され更に先端が支軸側に折曲されて上記カム溝に係合し、操作子には上記ピンの支軸を挿入・支持するための溝と上記ピンの抜けを防止するストッパとが設けられ、上記溝は、挿入側が幅広く先端側が幅狭とされ、挿入側の一側と先端側とにより上記ピンの支軸を挿入するピン挿入溝を形成し、挿入側の他側と先端側とにより上記ピンの支軸を回動自在に支持するピン支持溝を形成し、挿入側に上記ピン挿入溝に挿入された上記ピンの支軸を上記ピン支持溝に係合させる節度機構が設けられ、上記ストッパは、上記溝の挿入側に上記ピン支持溝の端部と離隔対向して設けられ、上記ピンの支軸が上記ピン支持溝に係合したときに上記支軸のＬ形に折曲された折曲部を係止して抜けを防止することを特徴とする。
【００１４】
押ボタンスイッチにオルタネート動作を行わせるためのピンを操作子に容易に組み付けることができるようにすると共に、ピンの望ましくない脱落を防止し且つ押ボタンスイッチの動作状態を変更するときは容易にピンを抜くことができる。
【００１５】
【発明の実施の形態】
以下、図面を参照して本発明の一実施形態に係る押ボタンスイッチについて説明する。
本発明の押ボタンスイッチは、図１の分解斜視図に示すように、上下に開口部を有し、上端にフランジ部を形成したハウジング１０と、ハウジング１０の上開口部から嵌装される操作ユニット２０と、ハウジングの下開口部から嵌装されるスイッチユニット３０等で構成される。
【００１６】
スイッチユニット３０は、第２図の分解斜視図に示すように、並列に配設されたスイッチ本体３１、３２と、当該スイッチ本体３１、３２を挟持する側板３３、３４と、当該側板３３、３４の上部に支持され、後述する操作ユニット２０の押動動作によってラッチ動作を行うラッチ機構３５と、側板３３等に嵌合され、先端部がスイッチユニット３０の上方に延在する電源端子３６ａ〜３６ｄ等とで構成される。
【００１７】
スイッチ本体間には短絡防止用の遮蔽板３７が挟まれ、各スイッチ本体３１、３２の端子間の電気的な絶縁が図られている。
一方の側板３３の側面には円柱状の突起部３３ｍ、３３ｎが２本並行して垂設され、当該突起部３３ｍ、３３ｎはスイッチ本体３１、３２下部の貫通孔及び遮蔽板３７上部の孔を貫通して他方の側板３４の嵌合孔に嵌合している。
【００１８】
側板３３、３４の夫々の一端の側部には後述する作動子３８を回動自在に支持するための凹部３３ａ、３４ａが形成され、他端の側部には、作動子３８の自由端に設けられた耳部３８ａ、３８ｂと係合し、作動子３８の動作範囲を制限する溝部３３ｂ、３４ｂが形成されている。尚、当該溝部３３ｂ、３４ｂは、スイッチ本体３１、３２を側板３３、３４で挟持したとき、溝部３３ｂ、３４ｂの下端がスイッチ本体３１、３２の上面より若干上方になるような位置に形成されている。更に、溝部３３ｂ、３４ｂの上方には後述する操作子３９を回動自在に支持するための支持部３３ｃ、３４ｃが形成されている。更に又、他方の側板３４の側面には後述するピンと協働してラッチ機構３５をオルタネート動作させるための公知のハート型カム溝３４ｄが形成されている。
【００１９】
又、他方の側板３４の側方には操作ユニット３０をハウジング１０にぴったりと嵌合させるスペーサ板４０が取り付けられている。
一方の側板３３の側面及びスペーサ板４０の側面には電源端子３６ａ〜３６ｄが嵌合する嵌合溝（図１にはスぺーサ板４０の溝４０ａ、４０ｂのみ図示するが、図１４に溝３３ｄ、４０ａが示される）が上下方向に形成され、当該溝部には、上端に折曲部を有する略Ｌ字型の電源端子３６ａ〜３６ｄが嵌合されている。電源端子３６ａ〜３６ｄの上端の折曲部には後述するランプ端子２６ａ〜２６ｄとの係合を容易にするためのスリットが形成されている。
【００２０】
側板３３、３４の凹部３３ａ、３４ａには作動子３８の一方の端部（支持端）の作動子支持用の突起３８ｃ、３８ｄが回動自在に支持されている。
作動子３８は、他端にアームの回動範囲を制限する耳部３８ａ、３８ｂを有した板状部材である。作動子３８の耳部３８ａ、３８ｂの近傍には上方に折曲した爪部３８ｅが形成され、当該爪部３８ｅにはラッチ機構３５をラッチ動作させるためのコイルスプリング４１の一端がブッシュ４２を介して係止されている。
【００２１】
側板３３、３４の操作子支持部３３ｃ、３４ｃには操作子３９が回動可能に支持されている。操作子３９は、図３に示すように、操作子本体３９ａと、当該操作子本体３９ａからその長手方向と略垂直に平行して延在した２本のアーム３９ｂ、３９ｃと、操作子本体３９ａから長手方向に延在した桿部３９ｄ、３９ｅ等から構成される。アーム３９ｂ、３９ｃの夫々の先端には側板３３、３４の操作子支持部３３ｃ、３４ｃに回動自在に支持される支軸３９ｆ、３９ｇが外方に延在している。又、桿部３９ｄ、３９ｅは、押ボタンスイッチを組み立てた状態で後述する操作ユニット２０の脚２１ａ、２１ｂが係合するのに必要な長さを有する。
【００２２】
操作子本体３９ａには更に側面上部から突出する３つの突出部３９ｈ、３９ｘ、３９ｊと側面下部から突出する２つの突出部３９ｋ、３９ｙが互い違いに形成されている。突出部３９ｈには略Ｌ字型のピン脱落防止用ストッパ片３９ｍが桿部３９ｄと並行して延在している。図６に示すように、突出部３９ｈ、３９ｘ、３９ｊの下面には溝３９ｈ’、３９ｘ’、３９ｊ’が夫々形成されている。溝幅は溝３９ｈ’が最も広く、溝３９ｊ’が最も狭い。溝３９ｈ’には突出部先端側内壁から後述するピン支軸４３ａの直径と略同等に隔たった位置に山部３９ｒが形成されている。一方、図７に示すように、突出部３９ｋ、３９ｙの上面にも溝３９ｋ’、３９ｙ’が形成され、溝３９ｋ’には更に突出部先端側内壁からピン支軸４３ａの直径と略同等な距離だけ隔てて山部３９ｓが形成されている。尚、溝幅は溝３９ｋ’の方が溝３９ｙ’より広い。
【００２３】
溝３９ｈ’の突出部基端側内壁と山部３９ｒとで挟まれた部分、溝３９ｋ’の突出部基端側内壁と山部３９ｓとで挟まれた部分、溝３９ｘ’、３９ｊ’、３９ｙ’とでピン挿入溝（ピン挿入位置部）３９ｎを形成している。又、溝３９ｈ’の突出部先端側内壁と山部３９ｒとで挟まれた部分、溝３９ｋ’の突出部先端側内壁と山部３９ｓとで挟まれた部分、溝３９ｘ’、３９ｊ’、３９ｙ’とでピン支持溝（ピン支持位置部）３９ｐを形成している。更に、ピン支持溝３９ｐの延長線上にピン脱落防止用のストッパ片３９ｍが配置されている。尚、山部３９ｒと山部３９ｓとで節度機構を構成している。
【００２４】
操作ユニット２０は、図１に示すように、ボタン本体２１と、ボタン本体２１の前端に外装されたキャップ２２と、ボタン本体２１を上下動可能に支持する基台２３等とから構成される。キャップ２２の内周面には光拡散用プレート（図示せず）が収容配置され、ボタン本体２１の側縁底部からは操作子３９の桿部３９ｄ、３９ｅを押圧してラッチ機構３５にラッチ動作させるための脚２１ａ、２１ｂが下方に延在すると共に、後述するハウジング１０の隔壁１２との係止用爪２３ｃ、２３ｄが設けられている。一方、基台内部には上記光拡散プレートを照光するための４個の発光ダイオード（図示せず）（表示素子）が配置されている。基台底面には図１４に２点鎖線で示す基板２５が配置され、該基板２５には４個の発光ダイオードに電気的に接続され、基台底面から下方に延在するランプ端子２６ａ〜２６ｄが夫々差し込まれている。
【００２５】
ハウジング１０は一方の開口部にフランジ部１１を有した四角筒型形状をなし、操作ユニット２０を嵌装する空間と、スイッチユニット３０を嵌装する空間とを画成するための隔壁１２をハウジング内部に有する。隔壁１２には、図１２に示すように、操作ユニット２０の脚２１ａ、２１ｂをスイッチユニット３０側の操作子３９の桿部３９ｄ、３９ｅに係合させるための貫通孔１２ａ、１２ｂが隔壁両端部に穿設されると共に、操作ユニット２０の基板に差し込まれた４本のランプ端子２６ａ〜２６ｄをスイッチユニット３０側の空間に突出させるための４つの長孔の貫通孔１２ｃ〜１２ｆが側壁周囲部に穿設されている。
【００２６】
隔壁１２には、操作ユニット２０との係合用の突起１２ｇ、１２ｈが形成されると共に、スイッチユニット収容側のハウジング内壁にスイッチユニット３０との係合用突起１０ｇ、１０ｈが形成されている。
次に、以上のように構成される押ボタンスイッチの作用について説明する。
スイッチユニット３０の組み立てにおいては、スイッチ本体３１、３２を側板３３、３４で挟持する際に、図１１に示すように作動子３８の耳部３８ａ、３８ｂを側板３３、３４の溝部３３ｂ、３４ｂに係合させる。これと同時に作動子３８の回動支点３８ｃ、３８ｄを側板３４、３３の凹部３４ａ、３３ａに係合させる。これにより、作動子３８をラッチ動作状態内の仮位置に位置決めでき、その後の操作子３９及びコイルスプリング４１の組付けが容易になる。
【００２７】
又、図１２に示すように、操作ユニット２０を押圧していない状態の作動子３８の自由端は、作動子３８の耳部３８ａ、３８ｂが図中２点鎖線で示す側板溝部３３ｂ、３４ｂの下端に当接した位置にある。この状態では、スイッチ本体３１、３２の上面のスイッチ開閉用プランジャ３１ａ、３２ａは押し込まれたままである。次に、操作ユニット２０を押圧すると、脚２１ａ、２１ｂの下端が操作子３９の桿部３９ｄ、３９ｅを下方に押し、ラッチ機構３５のラッチ動作により作動子３８が瞬時に回動し、図１３に示すように、作動子３８の耳部３８ａ、３８ｂが図中２点鎖線で示す側板溝部３３ｂ、３４ｂの上端に当接する位置で停止する。この状態では、プランジャ３１ａ、３２ａがスイッチ本体３１、３２内から突出し、スイッチの開閉が切り替わる。続いて、操作ユニット２０から指を離すと図２に示すピン４３がカム溝３４ｄの係止位置に係止して作動子３８の上記状態を保持する。そして、再度、操作ユニット２０を押圧すると、ピン４３とカム溝３４ｄとの係止が解除され、スプリング４１のばね力により作動子３８が瞬時に下方に回動する。しかし、側板３３、３４の溝部３３ｂ、３４ｂの下端はスイッチ本体３１、３２の上面より若干上方になるような位置しているので、図１２に示すように、作動子３８の自由端がラッチ動作によってスイッチ本体３１、３２の上面に直接衝突することはない。その為、長期間の使用によってスイッチ本体３１、３２にひび割れが生じたり、スイッチ本体３１、３２内部の接点の接触不良が起こることはない。
【００２８】
ピン４３を操作子３９に回動自在に取付けるには、図３及び図４に示すように、まず最初にピン４３の支軸４３ａをストッパ片３９ｍ側からピン挿入溝３９ｎに挿入する。支軸４３ａは、図５のＣ−Ｃ断面を示す図６及び図５のＤ−Ｄ断面を示す図７の２点鎖線で示すようにピン挿入溝３９ｎに挿入される。これにより、図４のＡ−Ａ断面においては、図８の点線で示す状態にピン４３が位置する。その後、ピン４３の支軸４３ａを挿入溝３９ｎに完全に挿入し、ピン４３をストッパ片３９ｍ方向に押し付ける。これにより、ピン４３は溝部３９ｈ’、３９ｋ’に夫々形成された山部３９ｒ、３９ｓを乗り越えて、図６から図８の実線で示すように支持溝３９ｐに嵌合する。これにより、ピン４３は支持溝３９ｐに回動可能に保持され、且つピン４３の脱落は図５に示すように折曲部４４がストッパ片３９ｍに当たることによって阻止される。尚、押ボタンスイッチの使用中に動作状態をモーメンタリ型に変更したい場合は、ピン４３をストッパ片３９ｍから桿部３９ｄ側に押して、再びピン４３が山部３９ｒ、３９ｓを超えて挿入溝３９ｎに入るようにすれば良い。このようにピン４３を操作子３９に対して容易に着脱できると共に、ピン４３の望ましくない脱落を防止することができる。
【００２９】
スイッチユニット３０と操作ユニット２０を組み付けた後、これらをハウジング１０に収容する。ハウジング１０への収容に当たっては、図１５及び図１６に示すように、最初にスイッチユニット３０をハウジング１０の下開口部から嵌入する。スイッチユニット３０は、図１４に示すハウジング内壁の突起１０ｇ、１０ｈが図２に示す側板３３、スペーサ板４０の傾斜部３３ｐ、４０ｐを乗り越え、係合凹部３３ｑ、４０ｑと係止することにより、ハウジング１０内に嵌装される。この係止状態では、電源端子３６ａ〜３６ｄの上端の折曲部が隔壁１２のランプ端子挿通孔１２ｃ〜１２ｆの直下に位置し、操作ユニット２０の収容側に突出することはない。
【００３０】
次に、操作ユニット２０をハウジング１０の上開口部から嵌入する。操作ユニット２０の脚２１ａ、２１ｂは、ハウジング内壁の貫通孔１２ａ、１２ｂを貫通してスイッチユニット３０の操作子３９の桿部３９ｄ、３９ｅと係合する。又、操作ユニット２０の基板２５に差し込まれた４本のランプ端子２６ａ〜２６ｄが夫々ハウジング内壁のランプ端子貫通孔１２ｃ〜１２ｆを貫通し、電源端子３６ａ〜３６ｄの上端折曲部のスリットと係合する。従って、ランプ端子２６ａ〜２６ｄの全てが基板２５に適正に差し込まれていないと、ハウジング内壁のランプ端子貫通孔１２ｃ〜１２ｆを貫通することができず、作業者はランプ端子組付け状態の異常にすぐに気付くことができる。
【００３１】
全てのランプ端子２６ａ〜２６ｄが電源端子先端の折曲部と係合する一方、基台２３の爪２３ｃ、２３ｄが夫々隔壁１２の突起１２ｇ、１２ｈに係合したとき、図１７に示すように操作ユニット２０がハウジング１０に嵌装される。
尚、電源端子３６ａ〜３６ｄは、ランプ端子２６ａ〜２６ｄとの係合部が折れ曲がった略Ｌ字形状を有しているので、ランプ端子２６ａ〜２６ｄとの係合時に適度に撓み、ランプ端子２６ａ〜２６ｄを確実に保持できると共にスイッチユニットの全長、結果として押ボタンスイッチの全長を短くすることができる。
【００３２】
更に、電源端子３６ａ〜３６ｄ先端の折曲構造により、ランプ端子２６ａ〜２６ｄとの接触面積を広くとることができ、結果的にランプ端子２６ａ〜ｄの基板２５への差し込み位置の自由度が増す。
操作ユニット２０を修理、交換する必要が生じた場合、操作ユニット２０をハウジング１０の上開口部から取り外す。操作ユニット２０を取り外しても、ハウジング１０の隔壁１２の存在により作業者の指がスイッチユニット３０の電源端子３６ａ〜３６ｄに誤って触れることはない。従って、作業者が、電源端子３６ａ〜３６ｄを誤って曲げてしまったり感電したり、ドライバ工具等でショートさせることもなく、迅速且つ安全に操作ユニット２０の修理、交換を行うことができる。
【００３３】
更に、ハウジング１０の隔壁１２によってスイッチユニット３０のラッチ動作を行う操作子３９と作動子３８との間にゴミ等の異物が侵入するのを防止する。
本発明と異なる実施形態としては、電源端子３６ａ〜３６ｄの折曲した先端部のスリットを省略して、折曲先端部の可撓性を利用して端子間の確実な電気的接続を達成しても良い。又は電源端子３６ａ〜３６ｄの先端部を折曲せずにスリットだけを設けても良い。
【００３４】
又、操作子３９の挿入溝３９ｎと支持溝３９ｐとの間に形成された山部３９ｒ、３９ｓは、図９に示すように直角三角形断面でも良く、又は図１０に示すように四角形断面でも良い。かかる断面形状により、支持溝におけるピン保持力を更に向上させることができる。
更に又、作動子３８の耳部は必ずしも作動子３８の両側部に設ける必要はなく、２つの支持端の片側の側部に一つだけ設けても良い。
【００３６】
【発明の効果】
以上説明したように請求項１に記載の押ボタンスイッチによれば、ピンの操作子への組み付けが容易になると共に、スイッチユニット組付け時や押ボタンスイッチ使用時のピンの脱落を防止することができる。並びに、スイッチユニット組付け後、ピンを簡単に抜くことができ、押ボタンスイッチの動作状態をオルタネート型からモーメンタリ型に容易に変更することができる。
【図面の簡単な説明】
【図１】本発明の一実施形態に係る押ボタンスイッチの分解斜視図である。
【図２】本発明の一実施形態に係る押ボタンスイッチのスイッチユニット３０の分解斜視図である。
【図３】本発明の一実施形態に係る押ボタンスイッチの操作子３９にピン４３を挿入する直前の状態を示す斜視図である。
【図４】本発明の一実施形態に係る押ボタンスイッチの操作子３９にピン４３を挿入し始めた状態を示す斜視図である。
【図５】本発明の一実施形態に係る押ボタンスイッチの操作子３９にピン４３を回動自在に取付けた状態を示す斜視図である。
【図６】図５のＣ−Ｃ断面を示す要部断面図である。
【図７】図５のＤ−Ｄ断面を示す要部断面図である。
【図８】図５における操作子３９のＡ−Ａ断面を示す断面図である。
【図９】本発明の別の実施形態に係る操作子３９の図５と同様な断面を示す断面図である。
【図１０】本発明の更に別の実施形態に係る操作子３９の図５と同様な断面を示す断面図である。
【図１１】本発明の一実施形態に係る側板３３、３４と作動子３８との組み付けを示す斜視図である。
【図１２】本発明の一実施形態に係る押ボタンスイッチの押圧前の状態を示すＦ−Ｆ断面図である。
【図１３】本発明の一実施形態に係る押ボタンスイッチの押圧後の状態を示すＦ−Ｆ断面図である。
【図１４】本発明の一実施形態に係るハウジング１０と基板２５に差し込まれたランプ端子２６ａ〜ｄとを一部断面で示す斜視図である。
【図１５】本発明の一実施形態に係る、スイッチユニット３０と操作ユニット２０がハウジング１０に収容される前の状態を示す概略Ｆ−Ｆ断面図である。
【図１６】本発明の一実施形態に係る、スイッチユニット３０がハウジング１０に収容され、操作ユニット２０がハウジング１０に収容される前の状態を示す概略Ｆ−Ｆ断面図である。
【図１７】本発明の一実施形態に係る、スイッチユニット３０と操作ユニット２０がハウジング１０に収容された状態を示す概略Ｆ−Ｆ断面図である。
【図１８】従来の押ボタンスイッチの分解斜視図である。
【符号の説明】
１０  ハウジング
１２  隔壁
１２ｃ、１２ｄ、１２ｅ、１２ｆ  貫通孔
２０  操作ユニット
２３ａ、２３ｂ、２３ｃ、２３ｄ  表示素子
２６ａ、２６ｂ、２６ｃ、２６ｄ  ランプ端子
３０  スイッチユニット
３３、３４  側板
３３ｂ、３４ｂ  溝部
３４ｄ  カム溝
３６ａ、３６ｂ、３６ｃ、３６ｄ  電源端子
３８  作動子
３８ｃ、３８ｄ  耳部
３９  操作子
３９ｎ  挿入溝
３９ｐ      支持溝
３９ｒ、ｓ  山部
４１  コイルスプリング
４３  ピン
【図１】
0003577702.tif 000002
【図２】
0003577702.tif 000003
【図３】
0003577702.tif 000004
【図４】
0003577702.tif 000005
【図５】
0003577702.tif 000006
【図６】
0003577702.tif 000007
【図７】
0003577702.tif 000008
【図８】
0003577702.tif 000009
【図９】
0003577702.tif 000010
【図１０】
0003577702.tif 000011
【図１１】
0003577702.tif 000012
【図１２】
0003577702.tif 000013
【図１３】
0003577702.tif 000014
【図１４】
0003577702.tif 000015
【図１５】
0003577702.tif 000016
【図１６】
0003577702.tif 000017
【図１７】
0003577702.tif 000018
【図１８】
0003577702.tif 000019